(57)【特許請求の範囲】
【請求項１】
先羽根用電磁石の通電が断たれることによって作動し先羽根群に露光作動を行わせる先羽根用駆動手段と、後羽根用電磁石の通電が断たれることによって作動し後羽根群に露光作動を行なわせる後羽根用駆動手段と、先羽根群の露光作動の停止直前に先羽根用駆動手段の位置検出を行なう検出手段と、第１係合部と第２係合部とを有していてばねによって第１係合部を先羽根用駆動手段の作動軌跡内に臨ませるように付勢されており撮影時において後羽根用駆動手段が後羽根用電磁石の吸引力不足によって先羽根用駆動手段より先に作動したときだけ第２係合部を後羽根用駆動手段に押さえられて第１係合部により先羽根用駆動手段の作動を阻止するストップ部材と、を備えていることを特徴とするカメラ用フォーカルプレンシャッタ。
【請求項２】
撮影時において、先羽根用電磁石の通電が断たれても、前記検出手段が所定の時間内に先羽根用駆動手段を検出しないときと、先羽根用駆動手段が先羽根用電磁石の吸引力不足によって所定のタイミングよりも早く作動を開始して、前記検出手段によって検出されたときとの何れかの場合に、異常であることを表示装置に表示させるようにしたことを特徴とする請求項１に記載のカメラ用フォーカルプレンシャッタ。
【請求項３】
前記第１係合部と第２係合部のうち少なくとも一方が、前記ストップ部材の腕部に形成されていて、該腕部には可撓性が与えられており、前記ストップ部材は、撮影時において、先羽根用駆動手段が後羽根用駆動手段より先に作動したときに、先羽根用駆動手段に第１係合部を押されて、第２係合部を後羽根用駆動手段の作動軌跡内に臨ませ、前記第１係合部が前記可撓性を有する腕部に形成されているときは、該腕部が前記先羽根用駆動手段に撓まされて該先羽根用駆動手段に制動を与え、前記第２係合部が前記可撓性を有する腕部に形成されているときは、該腕部が前記後羽根用駆動手段に撓まされて該後羽根用駆動手段に制動を与えるようにしたことを特徴とする請求項１又は２に記載のカメラ用フォーカルプレンシャッタ。
【発明の詳細な説明】
【０００１】
【発明の属する技術分野】
本発明は、撮影に際して、先羽根群と後羽根群とを同一方向へ順次作動させ、その二つの羽根群のスリット形成羽根によって形成されたスリットにより、露光を行なうようにしたカメラ用のフォーカルプレンシャッタに関する。
【０００２】
【従来の技術】
この種のフォーカルプレンシャッタにおいては、先羽根群と後羽根群は、夫々、先羽根用駆動部材と後羽根用駆動部材によって作動させられるようになっている。そして、露光作動を行なう場合には、先羽根用電磁石と後羽根用電磁石に対する通電を所定のタイミングで順に断ち、それらの駆動部材が作動を開始し得るようにしている。そのため、断線等によって電磁石に通電されなかったり、電池の消耗によって所定の電流を供給できなかったり、電磁石の吸着面にゴミや汚れが付いていたり、組立精度が悪かったりすると、電磁石による所定の吸着保持機能が得られず、各駆動部材が、所定の時機を待たずに作動を開始してしまうことがある。そして、そのような異常作動を検出するための構成が、特開平９−２４４１０１号公報や特開平１０−３１９４７３号公報で提案されている。
【０００３】
【発明が解決しようとする課題】
ところで、上記の二つの公報で提案されている従来例は、何れも、撮影時において、後羽根用電磁石の吸引力不足によって、後羽根用駆動部材が先羽根用駆動部材よりも先に作動を開始してしまった場合、後羽根用駆動部材が間接的に先羽根用駆動部材を押して、所定のタイミングより早く先羽根用駆動部材を作動させ、それを検出手段が検出することによって、異常作動が行なわれたことを認識できるようにしている。
【０００４】
しかし、これらの従来例は、先羽根用駆動部材を強制的に作動させるようにしているため、先羽根用駆動部材の吸着保持を確実にさせるべく先羽根用電磁石の吸引力を大きめに設定しておいた場合には、先羽根用駆動部材を的確に作動させることができなくなることがあり、また、反対に、先羽根用駆動部材を的確に作動させ得るようにすべく先羽根用電磁石の吸引力を必要最小限に設定した場合には、その先羽根用駆動部材の吸着保持力が、僅かなゴミや汚れに影響を受け易くなったり、僅かな組立精度の差によっても左右され易くなって、先羽根用駆動部材の方の異常作動が生じ易くなってしまうという問題点がある。また、上記の従来例の場合には、後羽根用駆動部材と先羽根用駆動部材との間に介在する部材が、何れも薄い材料であって且つ他に主機能を有している部材であるため、変形などをして主機能に支障を与えてしまう可能性があるという問題点がある。
【０００５】
本発明は、このような問題点を解決するためになされたものであり、その目的とするところは、後羽根用駆動部材が異常作動を起こしたとき、他の部材を介して強制的に先羽根用駆動部材を作動させるのではなく、先羽根用駆動部材の作動を途中で阻止することによってその異常を検出するようにした、構成が極めて簡単であって、且つ、露光作動終了段階において各駆動部材に対して制動力を与えるようにすることも可能なカメラ用フォーカルプレンシャッタを提供することである。
【０００６】
【課題を解決するための手段】
上記の目的を達成するために、本発明のカメラ用フォーカルプレンシャッタは、先羽根用電磁石の通電が断たれることによって作動し先羽根群に露光作動を行わせる先羽根用駆動手段と、後羽根用電磁石の通電が断たれることによって作動し後羽根群に露光作動を行なわせる後羽根用駆動手段と、先羽根群の露光作動の停止直前に先羽根用駆動手段の位置検出を行なう検出手段と、第１係合部と第２係合部とを有していてばねによって第１係合部を先羽根用駆動手段の作動軌跡内に臨ませるように付勢されており撮影時において後羽根用駆動手段が後羽根用電磁石の吸引力不足によって先羽根用駆動手段より先に作動したときだけ第２係合部を後羽根用駆動手段に押さえられて第１係合部により先羽根用駆動手段の作動を阻止するストップ部材と、を備えているようにする。
【０００７】
また、本発明のカメラ用フォーカルプレンシャッタにおいては、撮影時において、先羽根用電磁石の通電が断たれても、前記検出手段が所定の時間内に先羽根用駆動手段を検出しないときと、先羽根用駆動手段が先羽根用電磁石の吸引力不足によって所定のタイミングよりも早く作動を開始して、前記検出手段によって検出されたときとの何れかの場合に、異常であることを表示装置に表示させるようにすると、先羽根用駆動手段と後羽根用駆動手段の異常作動を視力で認識することが可能になる。
【０００８】
更に、本発明のカメラ用フォーカルプレンシャッタにおいては、前記第１係合部と第２係合部のうち少なくとも一方が、前記ストップ部材の腕部に形成されていて、該腕部には可撓性が与えられており、前記ストップ部材は、撮影時において、先羽根用駆動手段が後羽根用駆動手段より先に作動したときに、先羽根用駆動手段に第１係合部を押されて、第２係合部を後羽根用駆動手段の作動軌跡内に臨ませ、前記第１係合部が前記可撓性を有する腕部に形成されているときは、該腕部が前記先羽根用駆動手段に撓まされて該先羽根用駆動手段に制動を与え、前記第２係合部が前記可撓性を有する腕部に形成されているときは、該腕部が前記後羽根用駆動手段に撓まされて該後羽根用駆動手段に制動を与えるようにすると、さらに好適な構成になる。
【０００９】
【発明の実施の形態】
本発明の実施の形態を、二つの実施例によって説明する。尚、図１〜図４は第１実施例を説明するためのものであり、図５〜図８は第２実施例を説明するためのものである。また、各実施例は、何れも、本発明を、周知のダイレクトタイプのフォーカルプレンシャッタに適用したものであって、各図面は、カメラに組み込まれた状態において被写体側から視た場合の略左半分だけを示した平面図である。また、各実施例の構成の説明に際しては、被写体側を表面側と称し、フィルム面等の結像面側を背面側と称することにする。
【００１０】
［第１実施例］
先ず、第１実施例を、図１〜図４を用いて説明するが、図１は露光作動を終了した直後の状態を示したものであり、図２はセット完了状態を示したものであり、図３は正常に露光作動が行なわれた場合の途中の状態を示したものであり、図４は後羽根用駆動部材が異常作動をしたときの先羽根用駆動部材の途中停止状態を示したものである。そこで、図１を用いて構成を説明する。シャッタ地板１には、その略中央部に長方形を横長にした開口部１ａが形成されているが、図１においてはその左側の一部が示されている。また、周知のように、シャッタ地板１の背面側には、所定の間隔を空けて、図示していない中間板と補助地板が取り付けられており、シャッタ地板１と中間板との間に先羽根群の羽根室を形成し、中間板と補助地板との間に後羽根群の羽根室を形成している。更に、中間板と補助地板にも、開口部１ａと類似の形状をした開口部が形成されていて、通常は、それらの開口部を重ね合わせて露光開口を規制するようにしているが、本実施例においては、開口部１ａの形状が露光開口を規制しているものとする。
【００１１】
その開口部１ａの左側には、円弧状の二つの長孔１ｂ，１ｃが形成されている。そして、通常は、それらの長孔１ｂ，１ｃの下方端面に、周知の緩衝部材が取り付けられていることが多い。本発明は、そのような緩衝部材を取り付けているものに対しても、取り付けていないものに対しても適用することが可能であるが、本実施例の場合には、取り付けられていない場合で説明する。そして、シャッタ地板１の表面側には、軸１ｄ，１ｅ，１ｆ，１ｇが立設されていて、背面側には軸１ｈ，１ｉ，１ｊ，１ｋが立設されている。また、シャッタ地板１の表面側には、ストッパ１ｍが設けられている。
【００１２】
上記の軸１ｄには、先羽根用駆動部材２が回転可能に取り付けられている。この先羽根用駆動部材２は、合成樹脂製であって、被押動部２ａと、駆動ピン２ｂと、取付部２ｃとを有していて、図示していない周知の先羽根用駆動ばねによって時計方向へ回転するように付勢されている。また、先羽根用駆動部材２の背面側に設けられている駆動ピン２ｂは、シャッタ地板１の長孔１ｂを貫通していて、その断面形状は、根元部がＤ型であって先端部が小判型をしており、その根元部が、長孔１ｂの下端部に当接するようになっている。
【００１３】
また、先羽根用駆動部材２の取付部２ｃは表面側に大きく隆起していて、その内部には、鉄片部材が圧縮ばねに付勢された状態で取り付けられているが、その鉄片部材の形状と取付け構成は、特開平１０−１６１１８１号公報等によって周知であるため、図示を省略している。そして、その鉄片部材は、露光作動開始直前の状態においては、図示していない先羽根用電磁石に吸着保持され、先羽根用駆動部材２が先羽根用駆動ばねの付勢力によって時計方向へ回転できないようにするためのものであるが、図１の状態においては、上記圧縮ばねの付勢力によって、その被吸着部を、取付部２ｃから右上方に最大限に突き出した状態となっている。
【００１４】
シャッタ地板１の軸１ｅには、合成樹脂製の後羽根用駆動部材３が回転可能に取り付けられている。この後羽根用駆動部材３は、被押動部３ａと、駆動ピン３ｂと、取付部３ｃとを有していて、図示していない周知の後羽根用駆動ばねによって時計方向へ回転するように付勢されている。そして、駆動ピン３ｂは、先羽根用駆動部材２の駆動ピン２ｂと略同じ形状に形成されており、長孔１ｃを貫通していて、その根元部が長孔１ｃの下端部に当接するようになっている。
【００１５】
また、取付部３ｃも先羽根用駆動部材２の取付部２ｃと略同じ形状をしていて、その内部には、図示していない後羽根用電磁石に吸着される鉄片部材が圧縮ばねに付勢された状態で取り付けられているが、その取付け構成も、上記した特開平１０−１６１１８１号公報等によって周知であるため、図示を省略している。そして、その鉄片部材の場合にも、図１の状態においては、圧縮ばねの付勢力によって、その被吸着部を、取付部３ｃから右上方に最大限に突き出した状態となっている。
【００１６】
シャッタ地板１の軸１ｆには、合成樹脂製のセット部材４が回転可能に取り付けられている。このセット部材４は、図示していないばねによって、反時計方向へ回転するように付勢されているが、図１には、図示していないストッパに当接して停止されている状態が示されている。そして、本明細書においては、セット部材４のこのような位置を初期位置と称することにする。また、このセット部材４には、その周辺部に、先羽根用駆動部材２の被押動部２ａを押す押動部４ａと、後羽根用駆動部材３の被押動部３ａを押す押動部４ｂと、被押動部４ｃとが形成されている。
【００１７】
シャッタ地板１の軸１ｇには、合成樹脂製のストップ部材５が回転可能に取り付けられており、セット部材４の背面によって、軸１ｇからの抜け止めをされている。そして、このストップ部材５は、二つの腕部を有していて、それらの先端には、先羽根用駆動部材２の被押動部２ａに接触する係合部５ａと、後羽根用駆動部材３の駆動ピン３ｂに接触する係合部５ｂとが形成されている。尚、このストップ部材５は、二つの腕部を有していて、レバーとして形成されているが、本実施例の場合には、後述の作動説明から理解できるように、ディスク状に形成されていても一向に構わない。
【００１８】
図示していないが、シャッタ地板１の表面側には、所定の間隔を空けて周知の支持板が取り付けられている。そして、その支持板には、シャッタ地板１側に、上記した図示していない先羽根用電磁石と後羽根用電磁石が取り付けられているほか、二つの接片６ａ，６ｂからなるスイッチ６が取り付けられていて、接片６ａを、先羽根用駆動部材２の駆動ピン２ｂの作動軌跡内に臨ませている。本来、このスイッチ６は、フラッシュ撮影時におけるシンクロスイッチとして設けられているものであるが、後述の説明から分かるように、本実施例においては、各駆動部材２，３の異常作動時における検出スイッチの機能をも備えている。
【００１９】
次に、シャッタ地板１の背面側に配置されている先羽根群と後羽根群の構成について説明する。先ず、先羽根群は、シャッタ地板１の軸１ｈ，１ｉに対して回転可能に取り付けられた二つのアーム７，８と、それらの先端部に向けて順に枢支された複数枚の羽根で構成されているが、それらの羽根の枢支構成は周知であるため、アーム７，８の先端部に枢支されたスリット形成羽根９の一部のみを示してある。そして、アーム７に形成された孔には先羽根用駆動部材２の駆動ピン２ｂの先端部が嵌合していて、アーム７は先羽根用駆動部材２と一緒に回転するようになっている。
【００２０】
また、後羽根群の構成は、実質的に先羽根群を裏返しにして配置した構成をしており、シャッタ地板１の軸１ｊ，１ｋに対して回転可能に取り付けられた二つアーム１０，１１と、それらの先端部に向けて順に枢支された複数枚の羽根で構成されているが、図１においては、アーム１０，１１の先端部に枢支されたスリット形成羽根１２の一部のみを示してある。そして、アーム１０に形成された孔には後羽根用駆動部材３の駆動ピン３ｂの先端部が嵌合していて、アーム１０は後羽根用駆動部材３と一緒に回転するようになっている。
【００２１】
次に、図２〜図４も用いて、本実施例の作動を説明する。図１は、露光作動終了直後の状態を示している。従って、先羽根用駆動部材２の駆動ピン２ｂは、長孔１ｂの下端部に当接しており、先羽根群の複数枚の羽根は重畳されて開口部１ａの下方位置に格納されている。そして、後羽根用駆動部材３の駆動ピン３ｂは、長孔１ｃの下端部に当接しており、後羽根群の複数枚の羽根は展開されて、開口部１ａを覆っている。また、この状態においては、ストップ部材５は、一方の腕部に形成された係合部５ｂが後羽根用駆動部材３の駆動ピン３ｂに押されることによって、図示していないばねの付勢力に抗して反時計方向へ回転させられた状態になっていて、他方の腕部に形成されてた係合部５ａが先羽根用駆動部材２の被押動部２ａから離された状態になっている。
【００２２】
このような図１に示した状態においてセット作動が開始されると、図示していないカメラ本体側の部材がセット部材４の被押動部４ｃを押し、図示していないばねの付勢力に抗してセット部材４に時計方向への回転を行わせる。それによって、先ず、セット部材４の押動部４ａが被押動部２ａを押すことによって、先羽根用駆動部材２を、図示していない先羽根用駆動ばねの付勢力に抗して反時計方向へ回転させ始めるが、その当初の段階においては、未だ、セット部材４の押動部４ｂが後羽根用駆動部材３の被押動部３ａに接触していないため、先羽根群の羽根のみが上方へ移動していくことになる。また、スイッチ６は、駆動ピン２ｂによる押圧力が解かれるので、二つの接片６ａ，６ｂが離れ、オフ状態となる。
【００２３】
その後、先羽根群のスリット形成羽根９と、後羽根群のスリット形成羽根１２との重なり量が所定量に達すると、セット部材４の押動部４ｂが後羽根用駆動部材３の被押動部３ａに接触し、それ以後は、後羽根用駆動部材３も、図示していない後羽根用駆動ばねの付勢力に抗して、反時計方向へ回転させられ、後羽根群の羽根を上方へ移動させていくことになる。そのため、ストップ部材５は、後羽根用駆動部材３の駆動ピン３ｂによる抑止を解かれ、図示していないばねの付勢力によって時計方向へ回転され、係合部５ｂをストッパ１ｍに当接させて停止するが、そのときには、既に、先羽根用駆動部材２が可成り回転をしているため、ストップ部材５の係合部５ａが先羽根用駆動部材２の被押動部２ａに衝突するようなことがない。
【００２４】
このようにして、二つの羽根群は、スリット形成羽根９，１２同士の重なりを大きく変えることなく上方へ移動し、先羽根群の場合は羽根相互の重なりを小さくしてゆき、後羽根群の場合は羽根相互の重なりを大きくしてゆくことになるが、各駆動部材２，３の取付部２ｃ，３ｃに取り付けられた図示していない各鉄片部材が、両方とも夫々の電磁石に接触させられた段階になると、カメラ本体側の部材によって回転されていたセット部材４の回転が停止され、シャッタのセット作動が終了する。図２は、そのようにして行われたセット作動の完了状態を示しているが、この状態においては、先羽根群の複数枚の羽根は展開状態となって開口部１ａを覆っており、後羽根群の複数枚の羽根は重畳状態となって開口部１ａの上方位置に格納されている。また、セット部材４は、次の撮影が行われるまで、この状態を維持される。
【００２５】
次に、撮影に際して、カメラのレリーズボタンが押されると、図示していない上記の各電磁石に通電され、駆動部材２，３の取付部２ｃ，３ｃに取り付けられた図示していない各鉄片部材が吸着保持される。その後、カメラ本体側の図示していない部材が、セット部材４の被押動部４ｃから退いていくので、セット部材４は、図示していないばねの付勢力によって反時計方向へ回転され、図１に示された初期位置へ復帰する。このとき、各鉄片部材に対する各電磁石による吸着保持力が十分に得られていないと、各駆動部材２，３は、セット部材４の初期位置への復帰に伴い、所定の時機を待たずに直ちに作動してしまうことになるが、先ずは、そのような異常作動は行なわれず、正常に作動する場合について説明する。
【００２６】
上記のようにしてセット部材４が初期位置へ復帰すると、次に先羽根用電磁石に対する通電が断たれ、更に所定時間後には後羽根用電磁石に対する通電が断たれる。それによって、先羽根用駆動部材２と後羽根用駆動部材３が、図示していない各駆動ばねの付勢力によって相次いで急速に時計方向へ回転させられるが、周知のように、露光時間が短い場合には、二つのスリット形成羽根９，１２によってスリットを形成して露光が行なわれ、露光時間が長い場合やフラッシュ撮影を行なう場合には、先羽根群が開口部１ａを全開にしてから後羽根群を作動させるようにする。
【００２７】
そこで、本実施例の正常作動の説明においては、それらのうちフラッシュ撮影を行なう場合で説明する。上記のようにして最初に作動を開始した先羽根用駆動部材２は、ストップ部材５が図２に示したような姿勢をしているので、その露光作動の終了段階において、被押動部２ａが係合部５ａを押し、図示していないばねの付勢力に抗してストップ部材５を反時計方向へ回転させ、それによって、自らは、制動力を受けることになる。そして、スリット形成羽根９のスリット形成縁が開口部１ａの下辺位置を通過した直後には、駆動ピン２ｂが接片６ａを接片６ｂに接触させてスイッチ６をオン状態にし、フラッシュを発光させる。
【００２８】
更に、接片６ａ，６ｂが接触した直後には、駆動ピン２ｂが長孔１ｂの下端に当接することにより先羽根用駆動部材２が停止する。その結果、先羽根群の複数枚の羽根の作動も停止して、開口部１ａの下方位置に格納された状態となり、ストップ部材５は、その係合部５ｂを、後羽根用駆動部材３の駆動ピン３ｂの作動軌跡内に臨ませた状態になる。その状態が図３に示されている。尚、駆動ピン２ｂが長孔１ｂの下端に当接すると、先羽根群に反動する力が作用するが、本実施例の場合には、先羽根群に対して図示していない周知の緩衝部材などが設けられているため、先羽根群は、スリット形成羽根９のスリット形成縁を再度一時的に開口部１ａ内に臨ませることなく停止するようになっている。
【００２９】
その後、後羽根用駆動部材３が作動を開始し、その終了段階に入ると、駆動ピン３ｂがストップ部材５の係合部５ｂを押し、図示していないばねの付勢力に抗してストップ部材５を更に反時計方向へ回転させる。即ち、それによって、後羽根用駆動部材３は制動されることになる。そして、後羽根用駆動部材３は、駆動ピン３ｂが長孔１ｃの下端に当接して停止する。また、後羽根群の複数枚の羽根も、図示していない緩衝部材などによって好適に停止させられ、スリット形成羽根１２のスリット形成縁を再度一時的に開口部１ａ内に臨ませることがない。そのようにして露光作動の終了した状態が図１に示された状態である。尚、本実施例においては、上記のように、後羽根用駆動部材３が、係合部５ｂを押すことによって制動されるようになっているが、本発明は、このような構成に限定されるものではない。即ち、図３の状態において、ストップ部材５の係合部５ｂを、駆動ピン３ｂの作動軌跡外へ移動させてしまうようにしても差し支えない。その場合には、後羽根用駆動部材３は、ストップ部材５によって制動されないことになる。
【００３０】
次に、各駆動部材２，３が異常作動を行なった場合を説明するが、図２のセット完了状態までの説明は、上記の正常作動の場合の説明と同じであるため、重複を避けるために省略する。そこで、先ず、先羽根用駆動部材２のみが異常作動を行なった場合について説明する。図２の状態において、カメラのレリーズボタンが押されると、図示していない上記の各電磁石に対する通電開始信号が発せられる。その後、上記したように、セット部材４が、図示していないばねの付勢力によって反時計方向へ回転され、図１に示された初期位置への復帰作動を開始する。
【００３１】
このとき、後羽根用駆動部材３に取り付けられた鉄片部材は、後羽根用電磁石に吸着保持されているが、先羽根用駆動部材２に取り付けられた鉄片部材が、先羽根用電磁石に十分に吸着保持されていないため、先羽根用駆動部材２が、先羽根用電磁石に対する通電の正規の遮断時機を待たずに、上記したセット部材４の初期位置への復帰作動に伴って、先羽根用駆動ばねの付勢力によって、時計方向への回転を開始してしまうことになる。そのため、先羽根用駆動部材２は、ストップ部材５を図示していないばねの付勢力に抗して反時計方向へ回転させ、且つスイッチ６をオン状態にしてしまう。
【００３２】
しかし、フラッシュ装置は、先羽根用電磁石に対する通電を遮断する正規の時機から機能し得るようになっているため、たとえフラッシュ装置を用いて撮影するモードになっていたとしても、その場合には、フラッシュを発光させてしまうことがない。逆に、所定の時機よりも早くスイッチ６がオン状態になると、その瞬間に異常検出回路が機能し、その後に、先羽根用電磁石に対する正規の遮断時機が到来しても、フラッシュ装置が機能しないようにしてしまう。また、異常検出回路は、スイッチ６によって、先羽根用駆動部材２の異常作動を検出すると、異常作動が行なわれたことを表示装置に表示し、撮影者に認識させるようにする。そして、後羽根用駆動部材３は、その後に作動を開始させられることになり、最終的には、図１に示された状態となる。
【００３３】
次に、後羽根用駆動部材３のみが異常作動を行なった場合について説明する。図２の状態において、カメラのレリーズボタンが押され、図示していない上記の各電磁石に対する通電信号が発せられた後、セット部材４が、図示していないばねの付勢力によって初期位置への復帰作動を開始すると、先羽根用駆動部材２に取り付けられた鉄片部材は、先羽根用電磁石に吸着保持されているが、後羽根用駆動部材３に取り付けられた鉄片部材が、後羽根用電磁石に十分に吸着保持されていないため、後羽根用駆動部材３が、後羽根用電磁石に対する通電の所定の遮断時機を待つことなく、先羽根用駆動部材２が作動を開始する前に、後羽根用駆動ばねの付勢力によって、時計方向への回転を開始してしまう。そして、その後羽根用駆動部材３の作動は、駆動ピン３ｂが長孔１ｃの下端に当接することによって停止する。
【００３４】
他方、後羽根用駆動部材３の作動が終了した段階においては、未だ先羽根用駆動部材２が作動を開始していないので、ストップ部材５は、図２に示された状態のままとなっている。そのため、この段階においては、ストップ部材５の係合部５ｂの作動軌跡内に駆動ピン３ｂが存在しており、ストップ部材５の反時計方向への回転が阻止される状態となっている。その後、先羽根用駆動部材２が正規の時機に作動を開始することになるが、ストップ部材５が上記のようにして反時計方向への回転を阻止されているため、先羽根用駆動部材２は、その被押動部２ａが係合部５ａを押して作動することができず、作動途中において停止させられてしまう。そのときの状態が図４に示されている。
【００３５】
この図４の状態においては、先羽根用駆動部材２の駆動ピン２ｂが、接片６ａを押しておらず、スイッチ６はオフ状態のままである。そのため、スイッチ６は、先羽根用電磁石に対する通電を遮断した正規の時機から先羽根用駆動部材２の作動が終了するまでの所定の時間が経過しても、オン状態にならなかったことになる。従って、このことによって異常検出回路が機能し、異常作動が行なわれたことを表示装置に表示し、撮影者に認識させるようにする。
【００３６】
次に、先羽根用駆動部材２と後羽根用駆動部材３の両方が異常作動を行なった場合について簡単に説明をしておく。この場合には、先羽根用駆動部材２と後羽根用駆動部材３が同時に作動を開始する場合と、僅かではあるが、どちらかが先に作動を開始してしまう場合とがある。しかし、いずれにしても、先羽根用駆動部材２の被押動部２ａがストップ部材５の係合部５ａに接触したとき、後羽根用駆動部材３の駆動ピン３ｂが、ストップ部材５の反時計方向への回転を阻止し得る位置に達しているかどうかによって、上記した二つのケースの何れかの検出態様が得られるようになる。そして、本実施例の場合には、たとえ図４に示す状態になったとしても、セット作動には何の支障も及ぼさないので、原因が電池切れの場合には、電池を交換しさえすれば、次からの撮影が正常に行なえるようになる。
【００３７】
［第２実施例］
次に、図５〜図８を用いて第２実施例を説明するが、各図は第１実施例の図１〜図４に対応していて、図５は露光作動を終了した直後の状態を示したものであり、図６はセット完了状態を示したものであり、図７は正常に露光作動が行なわれた場合の途中の状態を示したものであり、図８は後羽根用駆動部材が異常作動をしたときの先羽根用駆動部材の途中停止状態を示したものである。また、本実施例の構成は、第１実施例におけるストップ部材５が、ストップ部材１５に置きかえられ、シャッタ地板１に新たにストッパ１ｎが設けられただけであり、その他は、ほぼ第１実施例の構成と同じであるため、実質的に同じ部材及び部位には同じ符号を付け、それらについての説明を省略する。
【００３８】
本実施例のストップ部材１５は、第１実施例におけるストップ部材５と同様に、合成樹脂製であって、シャッタ地板１の軸１ｇに対して回転可能に取り付けられているが、夫々の先端に係合部１５ａ，１５ｂを形成している二つの腕部は、僅かながら回転方向へ可撓性を有している。そして、図示していないばねによって時計方向へ回転するように付勢されており、係合部１５ｂをストッパ１ｍに接触させ得るようになっているが、そのばねの付勢力に抗して反時計方向へ回転させられたときは、その係合部１５ｂを有する腕部が、ストッパ１ｎに接触し得るようになっている。
【００３９】
次に、本実施例の作動を説明するが、主に、第１実施例の場合と異なる点を中心にして説明することにする。図５は、露光作動終了直後の状態を示している。このとき、ストップ部材１５は、係合部１５ｂを有している腕部がストッパ１ｎに接触しており、その係合部１５ｂを後羽根用駆動部材３の駆動ピン３ｂに押されることによって僅かに撓まされている。そして、撓まされる前の原形は一点鎖線で示されている。また、他方の腕部は、係合部１５ａを、先羽根用駆動部材２の被押動部２ａに押されて、僅かに撓まされており、その原形は一点鎖線で示されている。
【００４０】
この状態からセット作動が開始されると、図示していないカメラ本体側の部材がセット部材４の被押動部４ｃを押し、図示していないばねの付勢力に抗してセット部材４に時計方向への回転を行わせる。それによって、先ず、セット部材４の押動部４ａが被押動部２ａを押し、先羽根用駆動部材２を、図示していない先羽根用駆動ばねの付勢力に抗して反時計方向へ回転させ始める。そして、セット部材４の押動部４ｂが後羽根用駆動部材３の被押動部３ａを押し始める前にスイッチ６がオフ状態となり、且つストップ部材１５は、係合部１５ａを有している方の腕部が原形に復する。
【００４１】
その後、セット部材４の押動部４ｂが後羽根用駆動部材３の被押動部３ａを押し、後羽根用駆動部材３を、図示していない後羽根用駆動ばねの付勢力に抗して、反時計方向へ回転させ始めると、駆動ピン３ｂが係合部１５ｂから離れていくので、ストップ部材１５は完全に原形に復すると共に、図示していないばねの付勢力によって時計方向へ回転し、係合部１５ｂをストッパ１ｍに当接させることによって停止する。そして、その停止状態においては、ストップ部材１５に掛けられているばねの付勢力が比較的弱いことと、係合部１５ｂを有している腕部は僅かな可撓性しか付与されていないので、その腕部が撓まされてしまうようなことがない。その後、二つの羽根群は上方へ移動し、各駆動部材２，３の取付部２ｃ，３ｃに取り付けられた図示していない各鉄片部材が、両方とも夫々の電磁石に接触させられた段階になると、セット部材４の回転が停止され、図６に示された状態となって、シャッタのセット作動が終了する。
【００４２】
次に、撮影に際して、カメラのレリーズボタンが押されると、図示していない上記の各電磁石に通電され、駆動部材２，３の取付部２ｃ，３ｃに取り付けられた図示していない各鉄片部材が吸着保持される。その後、セット部材４は、図示していないばねの付勢力によって反時計方向へ回転され、図５に示された初期位置へ復帰する。このとき、各鉄片部材に対する各電磁石による吸着保持力が十分に得られていないと、異常作動を行なうことになるが、第１実施例の場合との違いを理解し易くするために、本実施例の場合にも、先ずは、フラッシュ撮影を行なう場合で正常に作動する場合について簡単に説明をしておく。
【００４３】
上記のようにしてセット部材４が初期位置へ復帰すると、次に先羽根用電磁石に対する通電が断たれ、先羽根用駆動部材２が、図示していない先羽根用駆動ばねの付勢力によって急速に時計方向へ回転させられ、先羽根群を下方へ作動させ、スリット形成羽根によって開口部１ａを開いていく。そして、その作動の最終段階になると、先羽根用駆動部材２の被押動部２ａがストップ部材１５の係合部１５ａを押し、図示していないばねの付勢力に抗してストップ部材１５を反時計方向へ回転させる。但し、本実施例の場合には、そのばねの付勢力が比較的弱いので、先羽根用駆動部材２がその段階で受ける制動力は十分とは言えない。
【００４４】
しかし、その直後に、ストップ部材１５の回転がストッパ１ｎに停止させられてからは、ストップ部材１５の腕部が、図７において一点鎖線で示されている状態から実線で示されている状態に撓まされるため、先羽根用駆動部材２は、本格的に制動力を受けることになる。そして、駆動ピン２ｂが、接片６ａを接片６ｂに接触させてスイッチ６をオン状態にした後、長孔１ｂの下端に当接することによって、先羽根用駆動部材２が停止する。その結果、先羽根群の複数枚の羽根は開口部１ａの下方位置に格納された状態となり、ストップ部材１５は、その係合部１５ｂを、後羽根用駆動部材３の駆動ピン３ｂの作動軌跡内に臨ませた状態になる。その状態が図７に示されている。
【００４５】
その後、後羽根用駆動部材３が作動を開始し、その作動終了段階に入ると、駆動ピン３ｂがストップ部材１５の係合部１５ｂを押すことになるため、係合部１５ｂを有している腕部が反時計方向へ撓まされ、それによって、後羽根用駆動部材３が制動を受けることになる。そして、後羽根用駆動部材３は、駆動ピン３ｂが長孔１ｃの下端に当接して停止し、後羽根群の複数枚の羽根が展開されて、開口部１ａを覆った状態になる。このようにして露光作動の終了した状態が図５に示された状態である。
【００４６】
次に、各駆動部材２，３が異常作動を行なった場合を説明するが、先ず、先羽根用駆動部材２のみが異常作動を行なった場合について説明する。図６のセット状態において、カメラのレリーズボタンが押されると、図示していない上記の各電磁石に対する通電開始信号が発せられる。その後、セット部材４が初期位置へ作動を開始すると、先羽根用駆動部材２に取り付けられた鉄片部材が、先羽根用電磁石に十分に吸着保持されていないため、先羽根用駆動部材２が、先羽根用電磁石に対する通電の正規の遮断時機を待たずに、先羽根用駆動ばねの付勢力によって、時計方向への回転を開始してしまう。そのため、先羽根用駆動部材２は、ストップ部材１５を図示していないばねの付勢力に抗して反時計方向へ回転させ、図７に示すようにスイッチ６をオン状態にしてしまう。
【００４７】
しかし、フラッシュ装置は、先羽根用電磁石に対する通電を遮断する正規の時機から機能し得るようになっているため、その場合には、たとえフラッシュ撮影のモードに設定されていても、フラッシュを発光させてしまうことがなく、逆に、所定の時機よりも早くスイッチ６がオン状態となったことにより、異常検出回路が機能し、異常作動が行なわれたことを表示装置に表示し、撮影者に認識させるようにする。そして、後羽根用駆動部材３は、その後、正規の時機に作動を開始させられることになり、最終的には、図５に示された状態となる。
【００４８】
次に、後羽根用駆動部材３のみが異常作動を行なった場合について説明する。図６の状態において、カメラのレリーズボタンが押された後、図示していない上記の各電磁石に対する通電信号が発せられ、セット部材４が初期位置へ復帰作動を開始すると、この場合には、後羽根用駆動部材３に取り付けられた鉄片部材が、後羽根用電磁石に十分に吸着保持されていないため、後羽根用駆動部材３は、後羽根用電磁石に対する所定の遮断時機を待つことなく、先羽根用駆動部材２が作動を開始する前に、後羽根用駆動ばねの付勢力によって、時計方向へ回転を開始してしまうことになる。そして、その後羽根用駆動部材３の作動は、駆動ピン３ｂが長孔１ｃの下端に当接することによって停止する。そのため、この段階においては、係合部１５ｂの作動軌跡内に駆動ピン３ｂが存在しており、ストップ部材１５の反時計方向への回転が阻止される状態となっている。
【００４９】
その後、先羽根用駆動部材２が正規の時機に作動を開始することになるが、ストップ部材１５が上記のようにして反時計方向への回転を阻止されているため、また、ストップ部材１５には僅かな可撓性しか付与されていないため、先羽根用駆動部材２は、被押動部２ａが係合部１５ａを押しても、ストップ部材１５を、図示していないばねの付勢力に抗して反時計方向へ回転させることができず、係合部１５ａを有している腕部を僅かに撓ませた状態で停止させられてしまう。そのときの状態が図８に示されている。そして、この状態においては、先羽根用駆動部材２の駆動ピン２ｂが、接片６ａを押しておらず、スイッチ６はオフ状態のままであるため、所定の時間が経過してもオン状態にならないことによって、異常検出回路が、異常作動が行なわれたことを表示装置に表示し、撮影者に認識させるようにする。
【００５０】
次に、先羽根用駆動部材２と後羽根用駆動部材３の両方が異常作動を行なってしまう場合があるが、その場合には、第１実施例で説明したように、先羽根用駆動部材２の被押動部２ａがストップ部材１５の係合部１５ａに接触したとき、後羽根用駆動部材３の駆動ピン３ｂが、ストップ部材１５の反時計方向への回転を阻止し得る位置に達しているかどうかによって、上記した二つのケースの何れかの検出態様が得られるようになる。尚、本実施例においては、ストップ部材１５の二つの腕部に僅かな可撓性を付与しているが、ストップ部材１５の形状と、ストッパ１ｍ，１ｎの配置位置によっては、何れか一方の腕部にだけ僅かな可撓性を付与するようにしても構わない。また、その場合、ストップ部材１５の可撓性を利用した制動は、何れか一方の駆動部材にだけ作用するようにしても差し支えない。
【００５１】
尚、上記の各実施例においては、ストップ部材５，１５が合成樹脂製の場合で説明したが、本発明は、金属製の板材で製作された場合も含まれる。そして、第２実施例においてそのようにするときには、二つの腕部を直角に折り曲げた折曲部として形成すると、所定の可撓性を得るのに有利な形状となる。また、周知のように、フォーカルプレンシャッタには、露光作動開始直前の状態において、各駆動部材を露光作動開始位置に保持する方法として、電磁石の吸引力によって直接保持するようにしたダイレクトタイプと、係止部材によって保持しておくようにした係止タイプとが知られている。そして、上記の各実施例は、それらのうちのダイレクトタイプのシャッタの場合で説明したが、本発明は、係止タイプのものにも適用することが可能である。更に、上記の二つのタイプの違いには関係なく、二重遮光方式と称されているシャッタも知られており、後羽根用駆動部材を、後羽根群に連結させた駆動ピンを有している第１の部材と、露光作動時に、後羽根用駆動ばねの付勢力によって、その第１の部材を伴って回転する第２の部材とに分離した構成が知られているが、本発明は、そのような構成のシャッタにも適用することが可能である。
【００５２】
【発明の効果】
以上のように、本発明によれば、ストップ部材を設けることによって、後羽根用駆動部材が異常作動を起こしたとき、他の部材を介して強制的に先羽根用駆動部材を作動させるのではなく、先羽根用駆動部材の作動を途中で阻止することによって、その異常を検出するようにしたものであるから、構成が極めて簡単であって、且つ、必要に応じて、露光作動終了段階において各駆動部材に対して制動力を与えるようにすることも可能となる。
【図面の簡単な説明】
【図１】被写体側から視て略左半分だけを示した第１実施例の平面図であって、露光作動を終了した直後の状態を示したものである。
【図２】図１と同じようにして視た第１実施例の平面図であって、セット完了状態を示したものである。
【図３】図１と同じようにして視た第１実施例の平面図であって、正常に露光作動が行なわれた場合の途中の状態を示したものである。
【図４】図１と同じようにして視た第１実施例の平面図であって、後羽根用駆動部材が異常作動をしたときの先羽根用駆動部材の途中停止状態を示したものである。
【図５】被写体側から視て略左半分だけを示した第２実施例の平面図であって、露光作動を終了した直後の状態を示したものである。
【図６】図５と同じようにして視た第２実施例の平面図であって、セット完了状態を示したものである。
【図７】図５と同じようにして視た第２実施例の平面図であって、正常に露光作動が行なわれた場合の途中の状態を示したものである。
【図８】図５と同じようにして視た第２実施例の平面図であって、後羽根用駆動部材が異常作動をしたときの先羽根用駆動部材の途中停止状態を示したものである。
【符号の説明】
１                          シャッタ地板
１ａ                        開口部
１ｂ，１ｃ                  長孔
１ｄ，１ｅ，１ｆ，１ｇ，１ｈ，１ｉ，１ｊ，１ｋ  軸
１ｍ，１ｎ                  ストッパ
２                          先羽根用駆動部材
２ａ，３ａ，４ｃ            被押動部
２ｂ，３ｂ                  駆動ピン
２ｃ，３ｃ                  取付部
３                          後羽根用駆動部材
４                          セット部材
４ａ，４ｂ                  押動部
５，１５                    ストップ部材
５ａ，５ｂ，１５ａ，１５ｂ  係合部
６                          スイッチ
６ａ，６ｂ                  接片
７，８，１０，１１          アーム
９，１２                    スリット形成羽根
【図１】
0004372927.tif 000002
【図２】
0004372927.tif 000003
【図３】
0004372927.tif 000004
【図４】
0004372927.tif 000005
【図５】
0004372927.tif 000006
【図６】
0004372927.tif 000007
【図７】
0004372927.tif 000008
【図８】
0004372927.tif 000009